(57)【要約】【課題】本考案は、各種物品を保持することができると共に、不使用時には折り畳んでコンパクトな状態とすることができる物品保持具を提供する。【解決手段】本考案の物品保持具Ａは、中央枠部材１の互いに平行する両側軸杆部１１、１２に、この中央枠部材１の両側方に配している物品保持部材２、３の端部をそれぞれ回動自在に連結すると共に、中央枠部材１の両側端部におけるこれらの連結部の近傍部分に、両側物品保持部材２、３を上記両側軸杆部１１、１２周りに一方向に回動させた時にその回動を規制することなく中央枠部材１に対するそれぞれの折り畳みを許容し、他方向に所定角度まで回動させた時にそれ以上の回動を阻止する規制部材１５、１６を設けて、一方の物品保持部材を設置面に設置させた際に中央枠部材が上下方向に傾斜し且つ一方の物品保持部材の上方に他方の物品保持部材が突設した形態となるように構成している。【選択図】　　図８
0003097396.tif 000002
【実用新案登録請求の範囲】
【請求項１】
中央枠部材の互いに平行する両側軸杆部に、この中央枠部材の両側方に配している物品保持部材の端部をそれぞれ回動自在に連結すると共に、中央枠部材の両側端部におけるこれらの連結部の近傍部分に、両側物品保持部材を上記両側軸杆部周りに一方向に回動させた時にその回動を規制することなく中央枠部材に対するそれぞれの折り畳みを許容し、他方向に所定角度まで回動させた時にそれ以上の回動を阻止する規制部材を設けて、一方の物品保持部材を設置面に設置させた際に中央枠部材が上下方向に傾斜し且つ一方の物品保持部材の上方に他方の物品保持部材が突設した形態となるように構成していることを特徴とする物品保持具。
【請求項２】
一方の物品保持部材を設置面に設置させた際に中央枠部材が上下方向に傾斜し且つ一方の物品保持部材の上方に他方の物品保持部材が水平方向に平行に突設した形態となるように構成していることを特徴とする請求項１に記載の物品保持具。
【請求項３】
中央枠部材は金属線材を矩形枠状に屈曲することにより形成されている一方、両側の物品保持部材は数本の金属線材からなる物品保持杆を並列状態にして連結杆により一体に連結してなり、更に、これらの物品保持部材の両側の物品保持杆の基端部を円形状に屈曲させて上記中央枠部材の両側軸杆部の両側端部にそれぞれ回動自在に連結した屈曲連結部に形成していると共に、上記中央枠部材の一側端部の表面側と他側端部の裏面側とに軸杆部から所定間隔を存して両側の物品保持部材の上記屈曲連結部を形成している基端部分を受止してそれ以上の回動を阻止する回動規制杆を固着していることを特徴とする請求項１又は請求項２に記載の物品保持部材。
【請求項４】
物品保持杆の基端部を屈曲させて、物品保持部材に支持させた物品の下端部を支持する物品支持部に形成していることを特徴とする請求項３に記載の物品保持部材。
【考案の詳細な説明】
【０００１】
【考案の属する技術分野】
本考案は、両側物品保持部材を中央枠部材の両側軸杆部周りに回動変位させることによって、中央枠部材及び両側物品保持部材を様々な形態に組み立てて各種物品を保持することができる物品保持具に関する。
【０００２】
【従来の技術】
従来から台所において用いられる調理用具や食器類などを起立した状態や吊支した状態に保持するために様々な物品保持具が提案されている。このような物品保持具としては、例えば、特許文献１に、円環状支持体上に所定間隔毎にコップ支持部を立設してなり、このコップ支持部にコップを上下逆さにした状態で被嵌、支持させるコップ支持具が提案されている。
【０００３】
このように、従来から提供されている台所用品の物品保持具は、所定の物品のみを保持するのに適した構造に形成され、他の物品を保持するには不適当な構造をとっていることから、各種物品毎にそれを支持するのに適した物品保持具を用いており、各物品保持具毎に設置スペースを確保する必要があり、そのために台所が狭くなるといった問題点を有していた。
【０００４】
しかも、上記コップ支持具のように、該コップ支持具に支持させるコップがない場合にあっても、その後の使用を考えると使用状態と同一の形態のままで設置しておかなければならず、使用していないコップ支持具によって台所内の有効スペースが限定され、その結果、台所内を有効利用することができないといった問題点があった。
【０００５】
【特許文献１】
実開平２−１３８６６８号公報
【０００６】
【考案が解決しようとする課題】
本考案は、両側物品保持部材を中央枠部材の両側軸杆部周りに回動変位させることによって、中央枠部材及び両側物品保持部材を様々な形態に組み立てて各種物品を保持することができると共に、不使用時には折り畳んでコンパクトな状態とすることができる物品保持具を提供する。
【０００７】
【課題を解決するための手段】
請求項１に記載の物品保持具は、中央枠部材の互いに平行する両側軸杆部に、この中央枠部材の両側方に配している物品保持部材の端部をそれぞれ回動自在に連結すると共に、中央枠部材の両側端部におけるこれらの連結部の近傍部分に、両側物品保持部材を上記両側軸杆部周りに一方向に回動させた時にその回動を規制することなく中央枠部材に対するそれぞれの折り畳みを許容し、他方向に所定角度まで回動させた時にそれ以上の回動を阻止する規制部材を設けて、一方の物品保持部材を設置面に設置させた際に中央枠部材が上下方向に傾斜し且つ一方の物品保持部材の上方に他方の物品保持部材が突設した形態となるように構成していることを特徴とする。
【０００８】
又、請求項２に記載の物品保持具は、請求項１に記載の物品保持具において、一方の物品保持部材を設置面に設置させた際に中央枠部材が上下方向に傾斜し且つ一方の物品保持部材の上方に他方の物品保持部材が水平方向に平行に突設した形態となるように構成していることを特徴とする。
【０００９】
そして、請求項３に記載の物品保持具は、請求項１又は請求項２に記載の物品保持具において、中央枠部材は金属線材を矩形枠状に屈曲することにより形成されている一方、両側の物品保持部材は数本の金属線材からなる物品保持杆を並列状態にして連結杆により一体に連結してなり、更に、これらの物品保持部材の両側の物品保持杆の基端部を円形状に屈曲させて上記中央枠部材の両側軸杆部の両側端部にそれぞれ回動自在に連結した屈曲連結部に形成していると共に、上記中央枠部材の一側端部の表面側と他側端部の裏面側とに軸杆部から所定間隔を存して両側の物品保持部材の上記屈曲連結部を形成している基端部分を受止してそれ以上の回動を阻止する回動規制杆を固着していることを特徴とする。
【００１０】
【作用】
本考案の物品保持具の使用態様の一例としては、物品保持具の中央枠部材の両側軸杆部に回動自在に連結させた両側物品保持部材の双方を両側軸杆部周りに他方向に回動させ、両側物品保持部材の回動を中央枠部材の規制部材によって規制した状態とする。
【００１１】
そして、物品保持具の何れか一方の物品保持部材を所望の設置面に設置させて、中央枠部材が上下方向に傾斜し且つ他方の物品保持部材が一方の物品保持部材の上方に好ましくは水平方向に平行に突設した状態とし、他方の物品保持部材に所望の物品を保持させる。
【００１２】
又、本考案の物品保持具の他の使用態様としては、物品保持具の何れか一方の物品保持部材を中央枠部材の軸杆部周りに他方向に回動させ、物品保持部材の回動を中央枠部材の規制部材によって規制した状態とする一方、他方の物品保持部材を中央枠部材の軸杆周りに一方向に回動させて中央枠部に沿って折り畳んだ状態として、中央枠部材を一方の物品保持部材が上側となった状態に設置面に設置させ、この中央枠部材から上下方向に傾斜した状態に起立した物品保持部材に所望の物品を保持させる。
【００１３】
更に、本考案の物品保持具は、その不使用時において、両側物品保持部材を共に中央枠部材の両側軸杆部周りに一方向に回動させて中央枠部材に沿って折り畳むことによってコンパクトな偏平状態とすることができ、保管場所の省スペース化を図ることができる。
【００１４】
【考案の実施の形態】
本考案の物品保持具の一例を図面を参照しつつ説明する。物品保持具Ａの中央枠部材１は、図１に示したように、一本の金属線材を屈曲させることによって平面横長長方形状に形成されている。
【００１５】
そして、上記中央枠部材１の長さ方向の一側端部近傍、即ち、中央枠部材１の一側軸杆部１１から他側方に小間隔を存した位置に中央枠部材１の長杆部１３、１４の表面間に亘って規制部材である一側回動規制杆１５が一側軸杆部１１に平行に架設一体化されている。
【００１６】
同様に、上記中央枠部材１の長さ方向の他側端部近傍、即ち、中央枠部材１の他側軸杆部１２から一側方に小間隔を存した位置に中央枠部材１の長杆部１３、１４の裏面間に亘って規制部材である他側回動規制杆１６が他側軸杆部１２に平行に架設一体化されている。
【００１７】
そして、上記中央枠部材１の両側方には両側物品保持部材２、３が配設されており、これらの両側物品保持部材２、３の基端部の夫々を、中央枠部材１の両側軸杆部１１、１２に回動自在に連結させている。
【００１８】
上記一側物品保持部材２は、上記中央枠部材１の長さよりも短い一定長さを有する金属線材からなる四本の直状の物品保持杆２１、２１・・・を前後方向に等間隔毎に並列させると共に、これら物品保持杆２１、２１・・・の基端部間に一対の互いに平行な連結杆２２ａ　、２２ｂ　を物品保持杆２１の長さ方向に小間隔を存し且つ物品保持杆２１、２１・・・に直交した状態に架設一体化することによって物品保持杆２１、２１・・・同士を連結一体化してフォーク状に形成されている。
【００１９】
ここで、外側の物品保持杆２１Ａ　、２１Ａ　の基端部は、基端側の連結杆２２ａ　よりも基端側に所定長さだけ突出した状態に形成されている一方、中央部の物品保持杆２１Ｂ　、２１Ｂ　の基端は、基端側の連結杆２２ａ　に合致した状態に形成されており、又、各物品保持杆２１の先端部は裏面側に向かって所定角度だけ屈曲させている。
【００２０】
そして、一側物品保持部材２における外側の一対の物品保持杆２１Ａ　、２１Ａ　の前後間隔は、中央枠部材１の前後幅よりも若干狭く形成されており、外側の物品保持杆２１Ａ　、２１Ａ　の突出基端部２１ａ　、２１ａ　を上記中央枠部材１における一側軸杆部１１と一側回動規制杆１５との間に表面側から裏面側に向かって挿通させると共に、物品保持杆２１Ａ　、２１Ａ　の突出基端部２１ａ　、２１ａ　を中央枠部材１の一側軸杆部１１を抱持した状態に円形状に屈曲させることによって屈曲連結部２３、２３を形成して、一側物品保持部材２の基端部を中央枠部材１の一側軸杆部１１に回動自在に連結している。
【００２１】
なお、図２に示したように、上記物品保持杆２１Ａ　、２１Ａ　における屈曲連結部２３、２３を形成している基端（突出基端部２１ａ　の基端）と、この基端に対向する突出基端部２１ａ　、２１ａ　との間には、紙片を挿通可能な紙片挿通用隙間２４、２４が形成されている。
【００２２】
そして、図２及び図３に示したように、一側物品保持部材２を上記中央枠部１の一側軸杆部材１１周りに一方向（裏面側方向）に回動させると、一側物品保持部材２は中央枠部材１の一側回動規制杆１５の規制を受けることなく中央枠部材１に沿った状態まで回動して中央枠部材１の裏面側に折り畳まれた状態となる一方、一側物品保持部材２を上記中央枠部材１の一側軸杆部１１周りに他方向（表面側方向）に回動させると、一側物品保持部材２は、所定角度だけ回動したところで、一側物品保持部材２の突出基端部２１ａ　、２１ａ　が中央枠部材１の一側回動規制杆１５に当接した状態となってそれ以上の回動を規制され、中央枠部材１に対して所定角度をなした傾斜状態となるように構成されている。
【００２３】
一方、他側物品保持部材３は、図１に示したように、一定長さを有する一対の金属線材をそれぞれ、それらの中央部における互いに小間隔を存した二カ所にて基端側に屈曲することによって平面コ字状に形成し、これら平面コ字状の一対の金属線材をそれらの開口部を中央枠部材１側に向け且つ屈曲先端部同士が互いに対向した状態に前後方向に所定間隔を存して並列し、この平面コ字状の金属線材における中央枠部材１の長さ方向に指向した線材部分を物品保持杆３１、３１・・・とし、これら物品保持杆３１、３１・・・の基端部間に連結杆３２を物品保持杆３１、３１・・・に直交した状態に架設一体化することによって物品保持杆３１、３１・・・同士を連結一体化してフィンガー状に形成されている。
【００２４】
ここで、外側の物品保持杆３１Ａ　、３１Ａ　の基端部は、連結杆３２よりも基端側に所定長さだけ突出した状態に形成されている一方、中央部の物品保持杆３１Ｂ　、３１Ｂの基端も連結杆３２よりも基端側に所定長さだけ突出した状態に形成されており、この突出基端部を裏面側に向かって直角に屈曲して物品支持部３１Ｃ　、３１Ｃ　としている。
【００２５】
そして、他側物品保持部材３における外側の一対の物品保持杆３１Ａ　、３１Ａ　の前後間隔は、中央枠部材１の前後幅よりも若干狭く形成されており、外側の物品保持杆３１Ａ　、３１Ａ　の突出基端部３１ａ　、３１ａ　を上記中央枠部材１における他側軸杆部１２と他側回動規制杆１６との間に裏面側から表面側に向かって挿通させると共に、物品保持杆３１Ａ　、３１Ａ　の突出基端部３１ａ　、３１ａ　を中央枠部材１の他側軸杆部１２を抱持した状態に円形状に屈曲させることによって屈曲連結部３３、３３を形成して、他側物品保持部材３の基端部を中央枠部材１の他側軸杆部１２に回動自在に連結している。
【００２６】
なお、図３に示したように、上記物品保持杆３１Ａ　、３１Ａ　における屈曲連結部３３、３３を形成している基端（突出基端部３１ａ　、３１ａ　の基端）と、この基端に対向する突出基端部３１ａ　、３１ａ　との間には、紙片を挿通可能な紙片挿通用隙間３４、３４が形成されている。
【００２７】
そして、図２及び図３に示したように、他側物品保持部材３を上記中央枠部１の他側軸杆部材１２周りに一方向（表面側方向）に回動させると、他側物品保持部材２は中央枠部材１の他側回動規制杆１６の規制を受けることなく中央枠部材１に沿った状態まで回動して中央枠部材１の表面側に折り畳まれた状態となる一方、他側物品保持部材３を上記中央枠部材１の他側軸杆部１２周りに他方向（裏面側方向）に回動させると、他側物品保持部材３は、所定角度だけ回動したところで、他側物品保持部材３の突出基端部３１ａ　、３１ａ　が中央枠部材１の他側回動規制杆１６に当接した状態となってそれ以上の回動を規制され、中央枠部材１に対して所定角度をなした傾斜状態となるように構成されている。
【００２８】
更に、一側物品保持部材２を上記中央枠部材１の一側軸杆部１１周りに他方向（表面側方向）に回動させて中央枠部材１の一側回動規制杆１５に当接させた状態とすると共に、他側物品保持部材３を上記中央枠部材１の他側軸杆部１２周りに他方向（裏面側方向）に回動させて中央枠部材１の他側回動規制杆１６に当接させた状態とすると、両側物品保持部材２、３が中央枠部材１を挟んで互いに平行な状態となるように構成されている。
【００２９】
次に、上記物品保持具の使用要領について説明する。上記物品保持具Ａは、その両側物品保持部材２、３の何れか一方或いは双方を中央枠部材１に対して傾斜した状態或いは中央枠部材１に沿った折り畳み状態とすることによって種々の物品を保持することができる。
【００３０】
先ず、図４に示したように、物品保持具Ａの一側物品保持部材２を上記中央枠部材１の一側軸杆部１１周りに他方向（表面側方向）に回動させて突出基端部２１ａ、２１ａ　を中央枠部材１の一側回動規制杆１５に当接させた状態として、一側物品保持部材２を中央枠部材１に対して所定角度をなした傾斜状態とする一方、他側物品保持部材３を上記中央枠部１の他側軸杆部材１２周りに一方向（表面側方向）に中央枠部材１に沿った状態まで回動させて中央枠部材１の表面側に折り畳まれた状態とする。
【００３１】
そして、上記物品保持具Ａの中央枠部材１を一側物品保持部材２が上側となるように設置面に設置すると、上記一側保持部材２が上記中央枠部材１上において傾斜状態に起立した状態となっており、この一側保持部材２における任意の物品保持杆２１に例えば、ペットボトルＢを被嵌させることによって、ペットボトルＢをその開口部が下方を向いた状態に支持することができ、ペットボトルＢをその内部にある水分を完全に除去しつつ衛生的に乾燥させることができる。
【００３２】
又、図５に示したように、一側保持部材２における外側の物品保持杆２１Ａ　とこの物品保持杆２１Ａ　に隣接する物品保持杆２１Ｂ　との間にまな板Ｃの一半部を挿入して、まな板Ｃの一半部を物品保持杆２１Ａ　、２１Ｂ　によって前後方向から支持しつつ下端面を連結杆２２ｂ　に受止させた状態に保持すると共に、まな板Ｃの他端下端部を他側保持部材３の連結杆３２に受止させつつ前方から物品支持部３１Ｃ　で支持させることによって、物品保持具Ａにまな板Ｃを起立状態に安定的に保持して水を円滑にきりながら完全に乾燥させることができる。
【００３３】
更に、図６に示したように、一側保持部材２の各紙片挿通用隙間２４、２４内に紙片Ｄの下端部を挿通支持させると共に紙片Ｄを一側保持部材２の四本の物品保持杆２１、２１・・・によって他側方から全面的に受止することによって、料理のレシピなどが記載された紙片Ｄを物品保持具Ａに安定的に保持して調理を円滑に行うことができる。
【００３４】
又、図７に示したように、物品保持具Ａの他側物品保持部材３を上記中央枠部材１の他側軸杆部１２周りに他方向（裏面側方向）に回動させて突出基端部３１ａ　、３１ａ　を中央枠部材１の他側回動規制杆１６に当接させた状態として、他側物品保持部材３を中央枠部材１に対して所定角度をなした傾斜状態とする一方、一側物品保持部材２を上記中央枠部１の他側軸杆部材１１周りに一方向（裏面側方向）に中央枠部材１に沿った状態まで回動させて中央枠部材１の裏面側に折り畳まれた状態とする。
【００３５】
そして、上記物品保持具Ａの中央枠部材１を他側物品保持部材３が上側となるように設置面に設置すると、上記他側保持部材３が上記中央枠部材１上において傾斜状態に起立した状態となっており、この他側保持部材３における任意の物品保持杆３１に例えば、使用済みの牛乳パックＥを被嵌させることによって、牛乳パックＥをその開口部が下方を向いた状態に支持することができ、牛乳パックＥをその内部にある水分を完全に除去しつつ衛生的に乾燥させることができる。
【００３６】
更に、図８に示したように、物品保持具Ａの一側物品保持部材２を上記中央枠部材１の一側軸杆部１１周りに他方向（表面側方向）に回動させて突出基端部２１ａ、２１ａ　を中央枠部材１の一側回動規制杆１５に当接させた状態として、一側物品保持部材２を中央枠部材１に対して所定角度をなした傾斜状態とすると共に、物品保持具Ａの他側物品保持部材３を上記中央枠部材１の他側軸杆部１２周りに他方向（裏面側方向）に回動させて突出基端部３１ａ　、３１ａ　を中央枠部材１の他側回動規制杆１６に当接させた状態として、他側物品保持部材３を中央枠部材１に対して所定角度をなした傾斜状態とする。
【００３７】
そして、上記物品保持具Ａの他側物品保持部材３を一側物品保持部材２が上側となるように設置面に設置すると、中央枠部材１が他側端から一側端に向かって斜め上方に傾斜した状態となると共に、一側物品保持部材２が他側物品保持部材３の上方において中央枠部材１の一端部から他側物品保持部材３に平行に突設した状態となる。
【００３８】
このように、物品保持具Ａは正面視Ｚ形状に組み立てられると共に、一側物品保持部材２は水平方向に突出した状態となっていることから、物品保持具Ａを設置面に安定的に設置することができると共に、一側物品保持部材２の任意の物品保持杆２１に例えば、布巾Ｆを掛けることによって布巾Ｆを効果的に乾燥させることができる。
【００３９】
そして、物品保持具Ａを使用しない時には、図９に示したように、一側物品保持部材２を中央枠部材１の一側軸杆部１１周りに一方向（裏面側方向）に、他側物品保持部材３を中央枠部材１の他側軸杆部１２周りに一方向（表面側方向）に回動させて、両側物品保持部材２、３を共に中央枠部材１に沿った状態に折り畳むことによって、物品保持具Ａを略偏平な状態として所定場所にコンパクトに保管しておくことができる。
【００４０】
以上のように、物品保持具Ａは、両側物品保持部材２、３を中央枠部材１の両側軸杆部１１、１２周りに任意の方向に回動、変位させることによって、保持させたい物品に応じて種々の形態に組み立てることができ、よって、上記物品保持具Ａによれば、様々な形態に組み立てて種々の所望物品を安定的に保持することができる一方、不使用時には略偏平なコンパクトな状態に折り畳んで省スペース化を図ることができる。
【００４１】
【考案の効果】
請求項１に記載の物品保持具は、中央枠部材の互いに平行する両側軸杆部に、この中央枠部材の両側方に配している物品保持部材の端部をそれぞれ回動自在に連結すると共に、中央枠部材の両側端部におけるこれらの連結部の近傍部分に、両側物品保持部材を上記両側軸杆部周りに一方向に回動させた時にその回動を規制することなく中央枠部材に対するそれぞれの折り畳みを許容し、他方向に所定角度まで回動させた時にそれ以上の回動を阻止する規制部材を設けて、一方の物品保持部材を設置面に設置させた際に中央枠部材が上下方向に傾斜し且つ一方の物品保持部材の上方に他方の物品保持部材が突設した形態となるように構成していることを特徴とするので、両側物品保持部材を中央枠部材の両側軸杆部に対して任意の方向に回動、変位させることによって種々の形態に組み立てることができる。
【００４２】
従って、保持させたい物品に応じて両側物品保持部材を中央枠部材の両側軸杆部周りに任意方向に回動、変位させることによって、物品保持具を所望物品の保持に適した形態に組み立てて種々の所望物品を安定的に保持することができる。
【００４３】
又、請求項２に記載の物品保持具は、請求項１に記載の物品保持具において、一方の物品保持部材を設置面に設置させた際に中央枠部材が上下方向に傾斜し且つ一方の物品保持部材の上方に他方の物品保持部材が水平方向に平行に突設した形態となるように構成していることを特徴とするので、一方の物品保持部材を設置面に設置させた状態とした際に他方の物品保持部材を安定的に水平方向に突出した状態とすることができ、この他方の物品保持部材に所望物品を安定的に保持させることができる。
【００４４】
又、請求項３に記載の物品保持具は、請求項１又は請求項２に記載の物品保持具において、中央枠部材は金属線材を矩形枠状に屈曲することにより形成されている一方、両側の物品保持部材は数本の金属線材からなる物品保持杆を並列状態にして連結杆により一体に連結してなり、更に、これらの物品保持部材の両側の物品保持杆の基端部を円形状に屈曲させて上記中央枠部材の両側軸杆部の両側端部にそれぞれ回動自在に連結した屈曲連結部に形成していると共に、上記中央枠部材の一側端部の表面側と他側端部の裏面側とに軸杆部から所定間隔を存して両側の物品保持部材の上記屈曲連結部を形成している基端部分を受止してそれ以上の回動を阻止する回動規制杆を固着していることを特徴とするので、任意の物品保持部材を回動規制杆に受止させることによって中央枠部材に対して所定角度をなした状態に安定的に組み立てることができ、所望物品を安定的に支持することができる。
【００４５】
最後に、請求項４に記載の物品保持部材は、請求項３に記載の物品保持部材において、物品保持杆の基端部を屈曲させて、物品保持部材に支持させた物品の下端部を支持する物品支持部に形成していることを特徴とするので、物品保持部材に保持させた物品の下端部が物品支持部側に変位するのを規制して、物品保持部材に保持させた物品を安定的に保持することができる。
【図面の簡単な説明】
【図１】本物品の物品保持具の一態様を示した平面図である。
【図２】図１の物品保持具の使用態様の一例を示した正面図である。
【図３】図１の物品保持具の使用態様の一例を示した正面図である。
【図４】図１の物品保持具の使用態様の一例を示した斜視図である。
【図５】図１の物品保持具の使用態様の一例を示した斜視図である。
【図６】図１の物品保持具の使用態様の一例を示した斜視図である。
【図７】図１の物品保持具の使用態様の一例を示した斜視図である。
【図８】図１の物品保持具の使用態様の一例を示した斜視図である。
【図９】図１の物品保持具の物品保持部材を折り畳んだ状態を示した斜視図である。
【符号の説明】
１　中央枠部材
１１　一側軸杆部
１２　他側軸杆部
１５　一側回動規制杆
１６　他側回動規制杆
２　一側物品保持部材
２１（２１Ａ　、２１Ｂ　）物品保持杆
２２ａ　、２２ｂ　　連結杆
２３　屈曲連結部
３　他側物品保持部材
３１（３１Ａ　、３１Ｂ　）物品保持杆
３２　連結杆
３３　屈曲連結部
Ａ　物品保持具
【図１】
0003097396.tif 000003
【図２】
0003097396.tif 000004
【図３】
0003097396.tif 000005
【図４】
0003097396.tif 000006
【図５】
0003097396.tif 000007
【図６】
0003097396.tif 000008
【図７】
0003097396.tif 000009
【図８】
0003097396.tif 000010
【図９】
0003097396.tif 000011